【手続補正書】
【提出日】平成18年4月17日(2006.4.17)
【手続補正１】
【補正対象書類名】明細書
【補正対象項目名】特許請求の範囲
【補正方法】変更
【補正の内容】
【特許請求の範囲】
【請求項１】
コンテンツ管理を実行するサーバ装置であり、
サーバに対する処理要求装置としてのクライアントとのデータ送受信処理を実行するデータ送受信部と、
ツリー構成を有するコンテンツディレクトリをコンテンツ管理構成として記憶するとともに、コンテンツディレクトリの各構成要素であるオブジェクト各々に対して設定される要素パスワードと、コンテンツディレクトリ全体に対して設定されるデータベースパスワードを記憶した記憶部と、
クライアントからの受信パスワードと前記記憶部に記憶した記憶パスワードとの照合に基づくパスワード認証処理を実行するパスワード認証処理部と、
前記パスワード認証処理部におけるパスワード認証の成立を条件として、前記クライアントの要求する処理を実行するデータ処理部とを有し、
前記データ処理部は、
前記パスワード認証処理部において、パスワード認証の成立した１以上のパスワードに基づいて前記コンテンツディレクトリ全体から処理許容領域を決定し、決定した処理許容領域内において前記クライアントの要求する処理が実行可能である場合に、該クライアントの要求処理を実行する構成であることを特徴とするサーバ装置。
【請求項２】
前記パスワード認証処理部は、
前記クライアントの処理要求が、前記コンテンツディレクトリの構成要素としてのオブジェクトに対応するコンテンツの取得または再生要求である場合、
クライアント要求コンテンツに対応する前記コンテンツディレクトリのオブジェクトに設定された要素パスワードと、
クライアント要求コンテンツに対応する前記コンテンツディレクトリのオブジェクトから最上位オブジェクトであるルートに至る経路上に存在する上位オブジェクトに設定された上位オブジェクト対応の各要素パスワードと、
を含むパスワード群に基づく認証処理を実行し、
前記データ処理部は、前記パスワード群に基づく認証処理の成立を条件として、前記クライアントの要求処理を実行する構成であることを特徴とする請求項１に記載のサーバ装置。
【請求項３】
前記パスワード認証処理部は、
前記クライアントの処理要求が、前記コンテンツディレクトリの構成要素としてのオブジェクトに対応するコンテンツ情報の閲覧要求である場合、
閲覧要求対象のコンテンツ情報に対応する前記コンテンツディレクトリのオブジェクトからコンテンツディレクトリの最上位オブジェクトであるルートに至る経路上に存在する上位オブジェクトに設定された要素パスワード群の認証処理を実行し、
前記データ処理部は、前記上位オブジェクトに設定された要素パスワード群の認証成立を条件として、前記クライアントの要求処理を実行する構成であることを特徴とする請求項１に記載のサーバ装置。
【請求項４】
前記パスワード認証処理部は、
前記クライアントの処理要求が、前記コンテンツディレクトリの構成要素としてのオブジェクトに対応するコンテンツ情報のサーチに基づく取得要求である場合、
クライアントから受信した１以上のパスワードに基づく認証処理を実行し、
前記データ処理部は、前記パスワード認証処理部において、パスワード認証の成立した１以上のパスワードによって前記コンテンツディレクトリ全体からサーチ（検索）処理領域を決定し、該決定サーチ処理領域内に含まれるオブジェクトを対象としたサーチ（検索）処理を実行する構成であることを特徴とする請求項１に記載のサーバ装置。
【請求項５】
前記パスワード認証処理部は、
前記クライアントの処理要求が、前記コンテンツディレクトリに基づいて管理されるコンテンツあるいはコンテンツ情報の更新要求である場合、
コンテンツディレクトリ全体に対して設定されるデータベースパスワードと、
クライアントの更新要求コンテンツまた更新要求コンテンツ情報に対応する前記コンテンツディレクトリのオブジェクトに設定された要素パスワードと、
クライアントの更新要求コンテンツまた更新要求コンテンツ情報に対応する前記コンテンツディレクトリのオブジェクトから最上位オブジェクトであるルートに至る経路上に存在する上位オブジェクトに設定された上位オブジェクト対応の各要素パスワードと、
を含むパスワード群に基づく認証処理を実行し、
前記データ処理部は、前記パスワード群に基づく認証処理の成立を条件として、前記クライアントの要求処理を実行する構成であることを特徴とする請求項１に記載のサーバ装置。
【請求項６】
前記パスワード認証処理部は、
前記クライアントの処理要求が、前記コンテンツディレクトリに基づいて管理されるコンテンツあるいはコンテンツ情報の移動処理またはコピー処理を伴う場合、
クライアントの更新要求コンテンツまた更新要求コンテンツ情報に対応する前記コンテンツディレクトリの移動元および移動先、またはコピー元およびコピー先のオブジェクトに設定された要素パスワードと、
前記移動元および移動先、またはコピー元およびコピー先のオブジェクトから最上位オブジェクトであるルートに至る経路上に存在する上位オブジェクトに設定された上位オブジェクト対応の各要素パスワードと、
を含むパスワード群に基づく認証処理を実行し、
前記データ処理部は、前記パスワード群に基づく認証処理の成立を条件として、前記クライアントの要求処理を実行する構成であることを特徴とする請求項１に記載のサーバ装置。
【請求項７】
前記パスワード認証処理部は、
前記クライアントの処理要求が、前記コンテンツディレクトリの構成要素としてのオブジェクトの更新要求である場合、
コンテンツディレクトリ全体に対して設定されるデータベースパスワードと、
クライアントの更新要求オブジェクトから最上位オブジェクトであるルートに至る経路上に存在する上位オブジェクトに設定された上位オブジェクト対応の各要素パスワードと、
を含むパスワード群に基づく認証処理を実行し、
前記データ処理部は、前記パスワード群に基づく認証処理の成立を条件として、前記クライアントの要求処理を実行する構成であることを特徴とする請求項１に記載のサーバ装置。
【請求項８】
前記パスワード認証処理部は、
前記クライアントの処理要求が、前記コンテンツディレクトリの構成要素としてのオブジェクトの移動処理またはコピー処理を伴う場合、
コンテンツディレクトリ全体に対して設定されるデータベースパスワードと、
前記コンテンツディレクトリの移動元および移動先、またはコピー元およびコピー先のオブジェクトから最上位オブジェクトであるルートに至る経路上に存在する上位オブジェクトに設定された上位オブジェクト対応の各要素パスワードと、
を含むパスワード群に基づく認証処理を実行し、
前記データ処理部は、前記パスワード群に基づく認証処理の成立を条件として、前記クライアントの要求処理を実行する構成であることを特徴とする請求項１に記載のサーバ装置。
【請求項９】
前記記憶部は、
コンテンツディレクトリの構成要素としてのオブジェクトに対応する属性情報であるメタデータを各オブジェクトに対応して格納し、
各オブジェクトのメタデータに対応するオブジェクトの要素パスワードを記録した構成であることを特徴とする請求項１に記載のサーバ装置。
【請求項１０】
前記記憶部は、
コンテンツディレクトリの構成要素としてのオブジェクトに対応する属性情報であるメタデータを各オブジェクトに対応して格納し、
各オブジェクトのメタデータに対応するオブジェクトの要素パスワード、および、当該オブジェクトから最上位オブジェクトであるルートに至る経路上に存在する上位オブジェクトに設定された上位オブジェクト対応の要素パスワードを記録した構成であることを特徴とする請求項１に記載のサーバ装置。
【請求項１１】
前記記憶部は、
コンテンツディレクトリの構成要素としてのオブジェクトに対応する属性情報であるメタデータを各オブジェクトに対応して格納し、
各オブジェクトのメタデータに対応するオブジェクトの要素パスワード、および、当該オブジェクトから最上位オブジェクトであるルートに至る経路上に存在する上位オブジェクト中、要素パスワードの設定された上位オブジェクトのコンテンツディレクトリにおける位置情報を記録した構成であることを特徴とする請求項１に記載のサーバ装置。
【請求項１２】
コンテンツ管理を実行するサーバに対する処理要求を実行するクライアントとしての情報処理装置であり、
サーバ利用アプリケーションの動作期間内にユーザにより入力された全パスワードを記憶する記憶部と、
前記サーバに対する処理要求または前記サーバからのパスワード要求に対する応答として、前記記憶部に格納した全パスワードを送信データとして設定する処理を実行するとともに、サーバ利用アプリケーションの終了を条件として、前記記憶部に記憶された全パスワードを消去する処理を実行するデータ処理部と、
を有することを特徴とする情報処理装置。
【請求項１３】
コンテンツ管理処理を実行するサーバにおける情報処理方法であり、
サーバに対する処理要求装置としてのクライアントからの処理要求およびパスワードを受信するステップと、
前記クライアントからの受信パスワードとサーバ内の記憶部に記憶した記憶パスワードとの照合に基づくパスワード認証処理を実行するパスワード認証処理ステップと、
前記パスワード認証処理ステップにおけるパスワード認証の成立を条件として、クライアントの要求処理を実行するデータ処理ステップとを有し、
前記データ処理ステップは、
前記パスワード認証処理ステップにおいて、パスワード認証の成立した１以上のパスワードに基づいてコンテンツ管理構成としてのコンテンツディレクトリから処理許容領域を決定するステップと、
該決定処理許容領域内においてクライアントの要求する処理が実行可能である場合に、該クライアントの要求処理を実行するステップと、
を有することを特徴とする情報処理方法。
【請求項１４】
前記パスワード認証処理ステップは、
前記クライアントからの処理要求が、前記コンテンツディレクトリの構成要素としてのオブジェクトに対応するコンテンツの取得または再生要求である場合、
クライアントの処理要求コンテンツに対応する前記コンテンツディレクトリのオブジェクトに設定された要素パスワードと、
クライアント要求コンテンツに対応する前記コンテンツディレクトリのオブジェクトから最上位オブジェクトであるルートに至る経路上に存在する上位オブジェクトに設定された上位オブジェクト対応の各要素パスワードと、
を含むパスワード群に基づく認証処理を実行し、
前記データ処理ステップは、
前記パスワード群に基づく認証処理の成立を条件として、前記クライアントの要求処理を実行することを特徴とする請求項１３に記載の情報処理方法。
【請求項１５】
前記パスワード認証処理ステップは、
前記クライアントの処理要求が、前記コンテンツディレクトリの構成要素としてのオブジェクトに対応するコンテンツ情報の閲覧要求である場合、
閲覧要求対象のコンテンツ情報に対応する前記コンテンツディレクトリのオブジェクトからコンテンツディレクトリの最上位オブジェクトであるルートに至る経路上に存在する上位オブジェクトに設定された要素パスワード群の認証処理を実行し、
前記データ処理ステップは、
前記上位オブジェクトに設定された要素パスワード群の認証成立を条件として、前記クライアントの要求処理を実行することを特徴とする請求項１３に記載の情報処理方法。
【請求項１６】
前記パスワード認証処理ステップは、
前記クライアントの処理要求が、前記コンテンツディレクトリの構成要素としてのオブジェクトに対応するコンテンツ情報のサーチに基づく取得要求である場合、
クライアントから受信した１以上のパスワードに基づく認証処理を実行し、
前記データ処理ステップは、
前記パスワード認証処理ステップにおいて、パスワード認証の成立した１以上のパスワードによって前記コンテンツディレクトリ全体からサーチ（検索）処理領域を決定し、該決定サーチ処理領域内に含まれるオブジェクトを対象としたサーチ（検索）処理を実行する構成であることを特徴とする請求項１３に記載の情報処理方法。
【請求項１７】
前記パスワード認証処理ステップは、
前記クライアントの処理要求が、前記コンテンツディレクトリに基づいて管理されるコンテンツあるいはコンテンツ情報の更新要求である場合、
コンテンツディレクトリ全体に対して設定されるデータベースパスワードと、
クライアントの更新要求コンテンツまた更新要求コンテンツ情報に対応する前記コンテンツディレクトリのオブジェクトに設定された要素パスワードと、
クライアントの更新要求コンテンツまた更新要求コンテンツ情報に対応する前記コンテンツディレクトリのオブジェクトから最上位オブジェクトであるルートに至る経路上に存在する上位オブジェクトに設定された上位オブジェクト対応の各要素パスワードと、
を含むパスワード群に基づく認証処理を実行し、
前記データ処理ステップは、
前記パスワード群に基づく認証処理の成立を条件として、前記クライアントの要求処理を実行する構成であることを特徴とする請求項１３に記載の情報処理方法。
【請求項１８】
前記パスワード認証処理ステップは、
前記クライアントの処理要求が、前記コンテンツディレクトリに基づいて管理されるコンテンツあるいはコンテンツ情報の移動処理またはコピー処理を伴う場合、
クライアントの更新要求コンテンツまた更新要求コンテンツ情報に対応する前記コンテンツディレクトリの移動元および移動先、またはコピー元およびコピー先のオブジェクトに設定された要素パスワードと、
前記移動元および移動先、またはコピー元およびコピー先のオブジェクトから最上位オブジェクトであるルートに至る経路上に存在する上位オブジェクトに設定された上位オブジェクト対応の各要素パスワードと、
を含むパスワード群に基づく認証処理を実行し、
前記データ処理ステップは、
前記パスワード群に基づく認証処理の成立を条件として、前記クライアントの要求処理を実行する構成であることを特徴とする請求項１３に記載の情報処理方法。
【請求項１９】
前記パスワード認証処理ステップは、
前記クライアントの処理要求が、前記コンテンツディレクトリの構成要素としてのオブジェクトの更新要求である場合、
コンテンツディレクトリ全体に対して設定されるデータベースパスワードと、
クライアントの更新要求オブジェクトから最上位オブジェクトであるルートに至る経路上に存在する上位オブジェクトに設定された上位オブジェクト対応の各要素パスワードと、
を含むパスワード群に基づく認証処理を実行し、
前記データ処理ステップは、
前記パスワード群に基づく認証処理の成立を条件として、前記クライアントの要求処理を実行する構成であることを特徴とする請求項１３に記載の情報処理方法。
【請求項２０】
前記パスワード認証処理ステップは、
前記クライアントの処理要求が、前記コンテンツディレクトリの構成要素としてのオブジェクトの移動処理またはコピー処理を伴う場合、
コンテンツディレクトリ全体に対して設定されるデータベースパスワードと、
前記コンテンツディレクトリの移動元および移動先、またはコピー元およびコピー先のオブジェクトから最上位オブジェクトであるルートに至る経路上に存在する上位オブジェクトに設定された上位オブジェクト対応の各要素パスワードと、
を含むパスワード群に基づく認証処理を実行し、
前記データ処理ステップは、
前記パスワード群に基づく認証処理の成立を条件として、前記クライアントの要求処理を実行する構成であることを特徴とする請求項１３に記載の情報処理方法。
【請求項２１】
コンテンツ管理を実行するサーバに対する処理要求を実行する情報処理方法であり、
サーバ利用アプリケーションの動作期間内にユーザにより入力された全パスワードを記憶部に記憶するパスワード記憶ステップと、
前記サーバに対する処理要求または前記サーバからのパスワード要求に対する応答として、前記記憶部に格納した全パスワードを送信データとして送信するステップと、
サーバ利用アプリケーションの終了を条件として、前記記憶部に記憶された全パスワードを消去するパスワード消去ステップと、
を有することを特徴とする情報処理方法。
【請求項２２】
コンテンツ管理処理サーバにおいて情報処理を実行させるコンピュータ・プログラムであり、
データ送受信部において、サーバに対する処理要求装置としてのクライアントからの処理要求およびパスワードを受信させるステップと、
パスワード認証処理部において、前記クライアントからの受信パスワードとサーバ内の記憶部に記憶した記憶パスワードとの照合に基づくパスワード認証処理を実行させるパスワード認証処理ステップと、
データ処理部において、前記パスワード認証処理ステップにおけるパスワード認証の成立を条件として、クライアントの要求処理を実行させるデータ処理ステップとを有し、
前記データ処理ステップは、
前記パスワード認証処理ステップにおいて、パスワード認証の成立した１以上のパスワードに基づいてコンテンツ管理構成としてのコンテンツディレクトリから処理許容領域を決定させるステップと、
該決定処理許容領域内においてクライアントの要求する処理が実行可能である場合に、該クライアントの要求処理を実行させるステップと、
を含むことを特徴とするコンピュータ・プログラム。
【請求項２３】
情報処理装置において、コンテンツ管理サーバに対する処理要求を実行させるコンピュータ・プログラムであり、
データ処理部において、サーバ利用アプリケーションの動作期間内にユーザにより入力された全パスワードを記憶部に記憶させるパスワード記憶ステップと、
前記データ処理部において、前記サーバに対する処理要求または前記サーバからのパスワード要求に対する応答として、前記記憶部に格納した全パスワードを送信データとして送信させるステップと、
前記データ処理部において、サーバ利用アプリケーションの終了を条件として、前記記憶部に記憶された全パスワードを消去させるパスワード消去ステップと、
を実行させることを特徴とするコンピュータ・プログラム。
【手続補正２】
【補正対象書類名】明細書
【補正対象項目名】００４０
【補正方法】変更
【補正の内容】
【００４０】
さらに、本発明の第５の側面は、
コンテンツ管理処理サーバにおいて情報処理を実行させるコンピュータ・プログラムであり、
データ送受信部において、サーバに対する処理要求装置としてのクライアントからの処理要求およびパスワードを受信させるステップと、
パスワード認証処理部において、前記クライアントからの受信パスワードとサーバ内の記憶部に記憶した記憶パスワードとの照合に基づくパスワード認証処理を実行させるパスワード認証処理ステップと、
データ処理部において、前記パスワード認証処理ステップにおけるパスワード認証の成立を条件として、クライアントの要求処理を実行させるデータ処理ステップとを有し、
前記データ処理ステップは、
前記パスワード認証処理ステップにおいて、パスワード認証の成立した１以上のパスワードに基づいてコンテンツ管理構成としてのコンテンツディレクトリから処理許容領域を決定させるステップと、
該決定処理許容領域内においてクライアントの要求する処理が実行可能である場合に、該クライアントの要求処理を実行させるステップと、
を含むことを特徴とするコンピュータ・プログラムにある。
【手続補正３】
【補正対象書類名】明細書
【補正対象項目名】００４１
【補正方法】変更
【補正の内容】
【００４１】
さらに、本発明の第６の側面は、
情報処理装置において、コンテンツ管理サーバに対する処理要求を実行させるコンピュータ・プログラムであり、
データ処理部において、サーバ利用アプリケーションの動作期間内にユーザにより入力された全パスワードを記憶部に記憶させるパスワード記憶ステップと、
前記データ処理部において、前記サーバに対する処理要求または前記サーバからのパスワード要求に対する応答として、前記記憶部に格納した全パスワードを送信データとして送信させるステップと、
前記データ処理部において、サーバ利用アプリケーションの終了を条件として、前記記憶部に記憶された全パスワードを消去させるパスワード消去ステップと、
を実行させることを特徴とするコンピュータ・プログラムにある。
【手続補正４】
【補正対象書類名】明細書
【補正対象項目名】００７２
【補正方法】変更
【補正の内容】
【００７２】
［クライアントによるコンテンツ再生処理］
コンテンツを再生しようとするクライアントは、サーバに対してコンテンツ要求を行い、要求コンテンツをサーバから受信してコンテンツの再生を行うことができる。一般的なコンテンツ再生の手順について図５を参照して説明する。まず、ステップＳ１１において、クライアントは、サーバの保有するコンテンツ情報の取得要求を行う。ステップＳ１２で、サーバは、クライアントの要求に従ってコンテンツ対応のメタデータに基づいて、コンテンツの所在を示すアドレス情報としてのコンテンツのＵＲＬ（Uniform Resource Locators）一覧、コンテンツのタイトル、アーティスト名などのコンテンツ情報をＸＭＬ（eXtensible Markup Language）データにより生成してクライアントに送信する。